(57)【要約】【課題】コストの低減化を図り、かつ比較的大容量な所望の情報の実質的な保存が可能な記憶デバイスを得る。【解決手段】ストレージデバイス１はマイコン部２及び記憶部３から構成される。マイコン部２は内部にＵＳＢ通信処理部２ａを有し、記憶部３は内部にＵＲＬリンク先情報格納部３ａ及び認証処理ＩＤ格納部３ｂを有しており、ＵＲＬリンク先情報格納部３ａにはＵＲＬリンク先情報Ｉ１が格納され、認証処理ＩＤ格納部３ｂにはＩＤ情報Ｉ２が格納される。マイコン部２内部のＵＳＢ通信処理部２ａは２線式シリアル通信機能を有するシリアル接続線８を介して、記憶部３内のＵＲＬリンク先情報格納部３ａ及び認証処理ＩＤ格納部３ｂと接続される。ストレージデバイス１はクライアントＰＣ１０のユーザを対象としていおり、クライアントＰＣ１０は、ネットワーク１９を介して大容量な情報を格納するサーバ２０に接続可能である。【選択図】図１
2006127182.tif 000002
【特許請求の範囲】
【請求項１】
外部コンピュータに装着用の記憶デバイスであって、
情報資源格納先情報が格納される第１の情報格納部を有する記憶部と、
前記記憶部とシリアル接続線を介して接続され、前記外部コンピュータへの装着時に前記第１の情報格納部から前記情報資源格納先情報を前記外部コンピュータに送信可能な通信処理部を有する制御部とを備える、
記憶デバイス。
【請求項２】
請求項１記載の記憶デバイスであって、
前記記憶部は認証処理用の識別情報が格納される第２の情報格納部をさらに有し、
前記通信処理部は、前記外部コンピュータへの装着時に前記第２の情報格納部から前記識別情報を前記マイコンに送信可能である、
記憶デバイス。
【請求項３】
請求項１あるいは請求項２記載の記憶デバイスであって、
前記第１の情報格納部は書き込み可能であり、
前記制御部は前記第１の情報格納部に対する前記情報資源格納先情報の書き込みが可能な書き込み処理部をさらに備える、
記憶デバイス。
【請求項４】
請求項１ないし請求項３のうち、いずれか１項に記載の記憶デバイスであって、
前記記憶デバイスは内部コンピュータ部を有し、
前記内部コンピュータ部は、前記記憶部及び制御部を共に内蔵する、
記憶デバイス。
【請求項５】
請求項３記載の記憶デバイスであって、
前記記憶部は、前記外部コンピュータへの装着回数情報を格納する第３の情報格納部をさらに有し、
前記書き込み処理部は前記外部コンピュータの装着時に前記装着回数情報の書き込みが可能である、
記憶デバイス。
【請求項６】
請求項１ないし請求項５のうち、いずれか１項に記載の記憶デバイスであって、
前記記憶部は、前記外部コンピュータへの制限時間情報を格納する第４の情報格納部をさらに有する、
記憶デバイス。
【請求項７】
請求項１ないし請求項６のうち、いずれか１項に記載の記憶デバイスであって、
前記情報資源格納先情報は暗号化処理された暗号化済情報資源格納先情報を含む、
記憶デバイス。
【請求項８】
請求項１ないし請求項７のうち、いずれか１項に記載の記憶デバイスであって、
前記外部コンピュータはサーバにアクセス可能な外部コンピュータを含み、
前記情報資源格納先情報は前記サーバ内の情報資源格納先情報を含む、
記憶デバイス。
【請求項９】
請求項１ないし請求項８のうち、いずれか１項に記載の記憶デバイスであって、
前記記憶部の総容量は２５６ｋビット以下である、
記憶デバイス。
【発明の詳細な説明】
【技術分野】
【０００１】
この発明は、自動起動可能なＵＳＢ記憶デバイス等の記憶デバイスに関する。
【背景技術】
【０００２】
内部に記憶されたプログラム等の記憶情報がコンピュータ等の情報認識手段への接続時に自動起動される記憶デバイスとして、例えば、特許文献１〜特許文献４に記載されたＵＳＢ（Universal Serial Bus）デバイスがある。なお、ＵＳＢデバイスとは、ＵＳＢインタフェースでパソコン等に容易に接続できるデバイスを意味する。
【０００３】
【特許文献１】特開２００３−１７８０１７号公報
【特許文献２】特開２００４−１５１７８５号公報
【特許文献３】特開２００４−１６４０２８号公報
【特許文献４】特許第３５１３１４７号公報
【発明の開示】
【発明が解決しようとする課題】
【０００４】
これらの記憶デバイスはあらゆる情報を保存可能にすべく、内蔵の記憶容量が増大化する傾向があり、ハードウェア資源は肥大化し、コストの増大を招くという問題点があった。
【０００５】
この発明は上記問題点を解決するためになされたもので、コストの低減化を図り、かつ比較的大容量な所望の情報の実質的な保存が可能な記憶デバイスを得ることを目的とする。
【課題を解決するための手段】
【０００６】
この発明に係る請求項１記載の記憶デバイスは、外部コンピュータに装着用の記憶デバイスであって、情報資源格納先情報が格納される第１の情報格納部を有する記憶部と、前記記憶部とシリアル接続線を介して接続され、前記外部コンピュータへの装着時に前記第１の情報格納部から前記情報資源格納先情報を前記外部コンピュータに送信可能な通信処理部を有する制御部とを備えている。
【発明の効果】
【０００７】
この発明における請求項１記載の記憶デバイスを用いる環境として、情報資源先情報によって規定される比較的大容量なダウンロード情報を外部コンピュータ上もしくは外部コンピュータに接続可能なサーバ上に格納している環境を準備しておくことにより、記憶デバイスのユーザは、外部コンピュータに記憶デバイスを装着することにより、情報資源先情報によって規定されるダウンロード情報を取得することができる。
【０００８】
その結果、記憶デバイスは、極小容量な情報資源格納先情報を有することにより、比較的大容量な所望の情報（上記ダウンロード情報）を保存したの同じ効果を発揮することができる。
【０００９】
さらに、制御部，記憶部間の接続をシリアル接続線を用いて実現しているため、接続配線を簡単に行える分、低コスト化を図ることができる。
【発明を実施するための最良の形態】
【００１０】
＜実施の形態１＞
図１はこの発明の実施の形態１であるストレージデバイス及びその周辺環境を示すブロック図である。同図に示すように、ストレージデバイス１は、ＵＳＢバス９を介して外部コンピュータであるクライアントＰＣ１０に装着され、クライアントＰＣ１０との間にＵＳＢバス９を介したＵＳＢ（ストレージ）通信が可能となる。
【００１１】
ストレージデバイス１はマイコン部２及び記憶部３から構成される。マイコン部２は内部にＵＳＢ通信処理部２ａを有し、記憶部３は内部に（飛び先）ＵＲＬ（Uniform Resource Locater）リンク先情報格納部３ａ（第１の情報格納部）及び認証処理ＩＤ格納部３ｂ（第２の情報格納部）を有しており、ＵＲＬリンク先情報格納部３ａには（飛び先）ＵＲＬリンク先情報Ｉ１（情報資源格納先情報）が格納され、認証処理ＩＤ格納部３ｂには（認証処理用）ＩＤ情報Ｉ２（識別情報）が格納される。なお、ＵＲＬリンク先情報Ｉ１及びＩＤ情報Ｉ２それぞれの容量としては５１２バイト程度の情報で十分である。
【００１２】
マイコン部２内部のＵＳＢ通信処理部２ａは２線式シリアル通信機能を有するシリアル接続線８を介して、記憶部３内のＵＲＬリンク先情報格納部３ａ及び認証処理ＩＤ格納部３ｂと接続される。したがって、ＵＳＢ通信処理部２ａはシリアル接続線８を介することにより、ＵＲＬリンク先情報格納部３ａ及び認証処理ＩＤ格納部３ｂにそれぞれ格納されたＵＲＬリンク先情報Ｉ１及びＩＤ情報Ｉ２を読み出すことができる。
【００１３】
本実施の形態のストレージデバイス１はクライアントＰＣ１０のユーザを対象としていおり、クライアントＰＣ１０は、インターネット等のネットワーク１９を介して大容量な情報を格納するサーバ２０に接続可能である。
【００１４】
ストレージデバイス１のユーザが利用するクライアントＰＣ１０は、ＯＳ処理部１１及びアプリケーション実行部１２を有している。ＯＳ処理部１１は、ＵＳＢバス９を介してストレージデバイス１が接続されると、ＵＳＢ通信処理部２ａに対しデバイス種別確認用のイニシャライズ信号を送信し、このイニシャライズ信号を受けたＵＳＢ通信処理部２ａは自身が読み出し可能な記憶デバイスである旨の信号をＯＳ処理部１１に送信する。
【００１５】
その結果、クライアントＰＣ１０はストレージデバイス１を読み出し可能なデバイスとして認識可能となる。
【００１６】
サーバ２０はアプリケーションファイル２１、ユーザファイル２２及び認証管理データ２３を有しており、ネットワーク１９を介してクライアントＰＣ１０に接続可能である。
【００１７】
クライアントＰＣ１０のアプリケーション実行部１２は、サーバ２０へのアクセス用の通信アプリケーションが実行可能であり、上記通信アプリケーション実行時に、ＵＳＢ通信処理部２ａを介してＵＲＬリンク先情報格納部３ａに格納されたＵＲＬリンク先情報Ｉ１を取得すると、サーバ２０のアプリケーションファイル２１あるいはユーザファイル２２として格納された情報のうち、ＵＲＬリンク先情報Ｉ１により規定されるダウンロード情報を取り込むことができる。なお、本明細書において、サーバ２０に格納されていた情報のうち、ネットワーク１９を介してクライアントＰＣ１０の取得対象となる情報をダウンロード情報として説明する。
【００１８】
このように、ユーザは、クライアントＰＣ１０にストレージデバイス１を接続することにより、極めて小容量なＵＲＬリンク先情報Ｉ１によって規定される比較的大容量なダウンロード情報をクライアントＰＣ１０上で取得することができる。その結果、ストレージデバイス１は、ＵＲＬリンク先情報Ｉ１を有することにより、比較的大容量な所望の情報（上記ダウンロード情報）を保存したのと同じ効果を発揮することができる。
【００１９】
ストレージデバイス１は、記憶部３として極小量な記憶容量のみを要求しているにすぎないため、大容量な記憶容量が要求される従来の記憶デバイスに比べて大幅な低コスト化を図ることができる。なお、記憶部３の総容量としては最大で３２ｋバイト（２５６ｋビット）を想定している。
【００２０】
さらに、マイコン部２，記憶部３間の接続は２線シリアル通信用のシリアル接続線８を用いているため、接続配線を簡単に行える分、低コスト化を図ることができる。
【００２１】
加えて、記憶部３の総容量が２５６ｋビット以下であるため、シリアル接続線８を用いることによって動作速度に支障が生じることはない。
【００２２】
また、認証処理ＩＤ格納部３ｂに格納されるＩＤ情報Ｉ２を利用して以下に示すデータ管理機能を持たせることができる。
【００２３】
クライアントＰＣ１０のアプリケーション実行部１２は、上記通信アプリケーションの実行に際して、マイコン部２のＵＳＢ通信処理部２ａから、ＵＳＢバス９を介して得られるＵＲＬリンク先情報Ｉ１及びＩＤ情報Ｉ２を受けると、ネットワーク１９を介してＵＲＬリンク先情報Ｉ１及びＩＤ情報Ｉ２に規定されるサーバ２０のリンク先にアクセスする。
【００２４】
サーバ２０は、認証管理データ２３を有しており、認証結果が正常（ＩＤ情報Ｉ２に合致する認証管理データ２３が存在する）の場合にのみ、上述したようにダウンロード情報の送信を行う。一方、認証結果が異常（ＩＤ情報Ｉ２に合致する認証管理データ２３が存在しない）の場合、ＵＲＬリンク先情報Ｉ１で規定されるダウンロード情報の送信は行わない。
【００２５】
このように、ストレージデバイス１はＵＲＬリンク先情報Ｉ１に加え、ＩＤ情報Ｉ２を格納可能な認証処理ＩＤ格納部３ｂをさらに有することにより、第三者がＵＲＬリンク先情報Ｉ１のみを取得しても、ＵＲＬリンク先情報Ｉ１で規定されるダウンロード情報は取得できないようにすることができるため、ダウンロード情報の第三者からの不正取得を防止するデータ管理機能を持たせることができる。
【００２６】
＜実施の形態２＞
図２はこの発明の実施の形態２であるストレージデバイス及びその周辺環境を示すブロック図である。同図に示すように、実施の形態１と同様、ストレージデバイス１ＡはＵＳＢバス９を介することによりクライアントＰＣ１０と通信可能に接続される。
【００２７】
ストレージデバイス１Ａはマイコン部２及びＥＥＰＲＯＭ記憶部３１から構成される。マイコン部２は内部にＵＳＢ通信処理部２ａ及びＥＥＰＲＯＭ書き込み処理部２ｂを有し、ＥＥＰＲＯＭ記憶部３１は内部にＵＲＬリンク先情報格納部３１ａ及び認証処理ＩＤ格納部３１ｂを有しており、ＵＲＬリンク先情報格納部３１ａにはＵＲＬリンク先情報Ｉ１が格納され、認証処理ＩＤ格納部３１ｂにはＩＤ情報Ｉ２が格納される。
【００２８】
ＥＥＰＲＯＭ書き込み処理部２ｂはＵＲＬリンク先情報格納部３１ａ及び認証処理ＩＤ格納部３１ｂに対するＵＲＬリンク先情報Ｉ１及びＩＤ情報Ｉ２の書き込み機能を有している。
【００２９】
本実施の形態のストレージデバイス１Ａは、実施の形態１と同様、クライアントＰＣ１０のユーザを対象としている。なお、ＵＳＢ通信処理部２ａによる動作、クライアントＰＣ１０，サーバ２０等の他の構成、及びサーバ２０からのダウンロード情報の取得動作等は実施の形態１と同様であるため、説明を省略する。
【００３０】
したがって、実施の形態２のストレージデバイス１Ａは、実施の形態１のストレージデバイス１の効果に加えて、ＵＲＬリンク先情報Ｉ１及びＩＤ情報Ｉ２をクライアントＰＣ１０のユーザの意思によって自由に書き換えることにより、ダウンロード情報の変更（カスタマイズ）、ＩＤの変更が任意に行える効果を奏する。
【００３１】
＜実施の形態３＞
図３はこの発明の実施の形態３であるストレージデバイス及びその周辺環境を示すブロック図である。同図に示すように、実施の形態１と同様、ストレージデバイス４はＵＳＢバス９を介することによりクライアントＰＣ１０と通信可能に接続される。
【００３２】
ストレージデバイス４は１チップ構成のマイコン部５を有し、マイコン部５はＵＳＢ通信処理部６及び内蔵メモリ７を共に内蔵している。内蔵メモリ７は内部にＵＲＬリンク先情報格納部７ａ及び認証処理ＩＤ格納部７ｂを有しており、ＵＲＬリンク先情報格納部７ａ（第１の情報格納部）にはＵＲＬリンク先情報Ｉ１が格納され、認証処理ＩＤ格納部７ｂ（第２の情報格納部）にはＩＤ情報Ｉ２が格納される。
【００３３】
マイコン部２内部のＵＳＢ通信処理部６は２線式シリアル通信機能を有するシリアル接続線８を介してＵＲＬリンク先情報格納部７ａ及び認証処理ＩＤ格納部７ｂと接続される。したがって、ＵＳＢ通信処理部６はシリアル接続線８を介することにより、ＵＲＬリンク先情報格納部７ａ及び認証処理ＩＤ格納部７ｂにそれぞれ格納されたＵＲＬリンク先情報Ｉ１及びＩＤ情報Ｉ２を読み出すことができる。
【００３４】
本実施の形態のストレージデバイス４は、実施の形態１と同様、クライアントＰＣ１０のユーザを対象としている。なお、クライアントＰＣ１０，サーバ２０等の他の構成、及びサーバ２０からのダウンロード情報の取得動作等は実施の形態１と同様であるため、説明を省略する。
【００３５】
したがって、実施の形態３のストレージデバイス４は、実施の形態１のストレージデバイス１の効果に加えて、内部構成を１チップ構成のマイコン部５を単体で実現できる分、ハードウェア構成の簡略化を図ることができる。
【００３６】
なお、実施の形態３の内蔵メモリ７として、実施の形態２のＥＥＰＲＯＭ記憶部３１と同様に書き込み可能なメモリを用い、実施の形態２のＥＥＰＲＯＭ書き込み処理部２ｂ相当の内蔵メモリ７に対する書き込み処理部を備えることにより、実施の形態２と同様な効果を得ることも可能である。
【００３７】
＜実施の形態４＞
図４はこの発明の実施の形態４であるストレージデバイス及びその周辺環境を示すブロック図である。同図に示すように、実施の形態１と同様、ストレージデバイス１ＢはＵＳＢバス９を介することによりクライアントＰＣ１０と通信可能に接続される。
【００３８】
ストレージデバイス１Ｂは実施の形態２と同様、マイコン部２及びＥＥＰＲＯＭ記憶部３１から構成される。マイコン部２は内部にＵＳＢ通信処理部２ａ及びＥＥＰＲＯＭ書き込み処理部２ｂを有し、ＥＥＰＲＯＭ記憶部３１は内部にＵＲＬリンク先情報格納部３１ａ、認証処理ＩＤ格納部３１ｂ及びＰＣ装着回数格納部３１ｃ（第３の情報格納部）を有しており、ＵＲＬリンク先情報格納部３１ａにはＵＲＬリンク先情報Ｉ１が格納され、認証処理ＩＤ格納部３１ｂにはＩＤ情報Ｉ２が格納され、ＰＣ装着回数格納部３１ｃにはＰＣ装着回数情報Ｉ３（装着回数情報）が格納される。なお、ＰＣ装着回数情報Ｉ３とはストレージデバイス１ＢがクライアントＰＣ１０に装着された回数を示す情報を意味する。
【００３９】
ＥＥＰＲＯＭ書き込み処理部２ｂはＵＲＬリンク先情報格納部３１ａ、認証処理ＩＤ格納部３１ｂ及びＰＣ装着回数格納部３１ｃに対するＵＲＬリンク先情報Ｉ１、ＩＤ情報Ｉ２及びＰＣ装着回数情報Ｉ３の書き込み機能を有している。
【００４０】
さらに、ＥＥＰＲＯＭ書き込み処理部２ｂはＰＣ装着回数格納部３１ｃに対する自動書き込み機能を有している。すなわち、ストレージデバイス１ＢのクライアントＰＣ１０へのＵＳＢバス９を介した装着時にクライアントＰＣ１０側から送信されるイニシャライズ信号に応答して、ＵＳＢ通信処理部２ａはＰＣ装着回数格納部３１ｃのＰＣ装着回数情報Ｉ３で規定される回数を“１”インクリメントする書き込み動作を自動的に行うことができる。
【００４１】
ＰＣ装着回数格納部３１ｃにはＰＣ装着回数情報Ｉ３として初期値“０”が書き込まれており、ＥＥＰＲＯＭ書き込み処理部２ｂはクライアントＰＣ１０への装着毎に、ＰＣ装着回数情報Ｉ３を１インクリメントする上記自動書き込み動作を実行する。
【００４２】
本実施の形態のストレージデバイス１Ｂは、実施の形態１と同様、クライアントＰＣ１０のユーザを対象としている。クライアントＰＣ１０のアプリケーション実行部１２は、通信アプリケーションの実行の際に、ネットワーク１９を介したサーバ２０への接続に先がけて、ストレージデバイス１ＢからＰＣ装着回数格納部３１ｃに格納されたＰＣ装着回数情報Ｉ３を読み出し、ＰＣ装着回数情報Ｉ３が予め定められた制限回数に達しているか否かを検証する。
【００４３】
そして、ＰＣ装着回数情報Ｉ３が上記制限回数に到達していなければ、サーバ２０への接続処理を行い、ＰＣ装着回数情報Ｉ３が上記制限回数に到達していれば、サーバ２０への接続を行うことなく処理を終了する。
【００４４】
なお、ＵＳＢ通信処理部２ａによる動作、クライアントＰＣ１０の他の動作，サーバ２０等の他の構成、及びサーバ２０からのダウンロード情報の取得動作等は実施の形態１と同様であるため、説明を省略する。
【００４５】
したがって、実施の形態４のストレージデバイス１Ｂは、実施の形態１のストレージデバイス１の効果に加えて、ストレージデバイス１Ｂの接続回数を制限することにより、アクセス回数を制限したいダウンロード情報の保護を図ることができる。
【００４６】
＜実施の形態５＞
図５はこの発明の実施の形態５であるストレージデバイス及びその周辺環境を示すブロック図である。同図に示すように、実施の形態１と同様、ストレージデバイス１ＣはＵＳＢバス９を介することによりクライアントＰＣ１０と通信可能に接続される。
【００４７】
ストレージデバイス１Ｃはマイコン部２及び記憶部３から構成される。マイコン部２は内部にＵＳＢ通信処理部２ａを有し、記憶部３は内部にＵＲＬリンク先情報格納部３ａ、認証処理ＩＤ格納部３ｂ及び時間情報格納部３ｃ（第４の情報格納部）を有しており、ＵＲＬリンク先情報格納部３ａにはＵＲＬリンク先情報Ｉ１が格納され、認証処理ＩＤ格納部３ｂにはＩＤ情報Ｉ２が格納され、時間情報格納部３ｃには制限時間情報Ｉ４が格納される。なお、制限時間情報Ｉ４とはストレージデバイス１ＣのＵＲＬリンク先情報Ｉ１及びＩＤ情報Ｉ２の有効期限等の制限時間を規定した情報を意味する。
【００４８】
本実施の形態のストレージデバイス１Ｃは、実施の形態１と同様、クライアントＰＣ１０のユーザを対象としている。
【００４９】
クライアントＰＣ１０のアプリケーション実行部１２は、通信アプリケーションの実行に際して、ネットワーク１９を介したサーバ２０への接続に先がけて、ストレージデバイス１Ｃから時間情報格納部３ｃに格納された制限時間情報Ｉ４を読み出し、制限時間情報Ｉ４が予め定められた制限時間に達しているか否かを検証する。例えば、背制限時間情報Ｉ４が制限年月日を規定している場合、現時点で当該制限年月日に達しているか否かを検証する。
【００５０】
そして、制限時間情報Ｉ４が上記制限時間に到達していなければ、サーバ２０への接続を行い、制限時間情報Ｉ４が上記制限時間に到達していれば、サーバ２０への接続を行うことなく処理を終了する。
【００５１】
なお、ＵＳＢ通信処理部２ａによる動作、クライアントＰＣ１０の他の動作，サーバ２０等の他の構成、及びサーバ２０からのダウンロード情報の取得動作等は実施の形態１と同様であるため、説明を省略する。
【００５２】
したがって、実施の形態５のストレージデバイス１Ｃは、実施の形態１のストレージデバイス１の効果に加えて、ストレージデバイス１Ｃの接続を時間制限することにより、有効期限付きダウンロード情報の保護を図ることができる。
【００５３】
＜実施の形態６＞
図６はこの発明の実施の形態６であるストレージデバイス及びその周辺環境を示すブロック図である。同図に示すように、ストレージデバイス１ＤはＵＳＢバス９を介することによりクライアントＰＣ１０と通信可能に接続される。
【００５４】
ストレージデバイス１Ｄはマイコン部２及び記憶部３から構成される。マイコン部２は内部にＵＳＢ通信処理部２ａを有し、記憶部３は内部にＵＲＬリンク先情報格納部３ａ及び認証処理ＩＤ格納部３ｂを有しており、ＵＲＬリンク先情報格納部３ａには暗号化済（飛び先）ＵＲＬリンク先情報Ｉ５（暗号化済情報資源格納先情報）が格納され、認証処理ＩＤ格納部３ｂには暗号化済（認証処理用）ＩＤ情報Ｉ６が格納される。
【００５５】
本実施の形態のストレージデバイス１Ｄは、実施の形態１と同様、クライアントＰＣ１０のユーザを対象としている。
【００５６】
クライアントＰＣ１０のアプリケーション実行部１２は、上述した通信アプリケーションの他に、暗号解読アプリケーションをさらに有しており、ＵＲＬリンク先情報格納部３ａ及び認証処理ＩＤ格納部３ｂから取り込んだ暗号化済ＵＲＬリンク先情報Ｉ５及び暗号化済ＩＤ情報Ｉ６をそれぞれ解読し、解読後のＵＲＬリンク先情報Ｉ１１及びＩＤ情報Ｉ１２を導き出すことができる。
【００５７】
したがって、アプリケーション実行部１２は、暗号解読アプリケーションの実行により、暗号化済ＵＲＬリンク先情報Ｉ５を解読してＵＲＬリンク先情報Ｉ１を導き出した後、通信アプリケーションにより、サーバ２０のアプリケーションファイル２１あるいはユーザファイル２２に格納された情報のうち、解読後のＵＲＬリンク先情報Ｉ１により規定されるダウンロード情報を取り込むことができる。
【００５８】
したがって、実施の形態６のストレージデバイス１Ｄは、実施の形態１のストレージデバイス１の効果に加えて、ＵＲＬリンク先情報を暗号化することにより、ストレージデバイス１Ｄが第三者に取得された場合でも、ＵＲＬリンク先情報の認識を不可能にすることにより、ＵＲＬリンク先情報のセキュリティー強化を図ることができる。
【００５９】
また、認証処理ＩＤ格納部３ｂに格納される暗号化済ＩＤ情報Ｉ６を利用して以下に示すデータ管理機能を持たせることができる。
【００６０】
クライアントＰＣ１０のアプリケーション実行部１２は、暗号解読用アプリケーションにより、暗号化済ＵＲＬリンク先情報Ｉ５及び暗号化済ＩＤ情報Ｉ６を解読してＵＲＬリンク先情報Ｉ１及びＩＤ情報Ｉ２を導きだした後、通信アプリケーションにより、ネットワーク１９を介してＵＲＬリンク先情報Ｉ１及びＩＤ情報Ｉ２に規定されるサーバ２０のリンク先にアクセスする。
【００６１】
サーバ２０は、認証管理データ２３を有しており、認証結果が異常（ＩＤ情報Ｉ２に合致する認証管理データ２３が存在しない）の場合、ＵＲＬリンク先情報Ｉ１で規定されるダウンロード情報の送信は行わない。一方、認証結果が正常（ＩＤ情報Ｉ２に合致する認証管理データ２３が存在する）の場合、上述したようにダウンロード情報の送信を行う。
【００６２】
このように、ストレージデバイス１は暗号化済ＵＲＬリンク先情報Ｉ５に加え、暗号化済ＩＤ情報Ｉ６を格納可能な認証処理ＩＤ格納部３ｂをさらに有することにより、第三者がＵＲＬリンク先情報Ｉ１のみを取得しても、ＵＲＬリンク先情報Ｉ１で規定されるダウンロード情報は取得できないため、ダウンロード情報の第三者からの不正取得を防止するデータ管理機能を持たせることができ、セキュリティー機能を発揮することができる。
【００６３】
＜その他＞
実施の形態１ないし実施の形態６では、ＵＲＬリンク先情報Ｉ１で規定されたダウンロード情報の格納先がサーバ２０にある場合を示したが、ストレージデバイスの外部であればクライアントＰＣ１０等にダウンロード情報相当の情報を格納させることも考えられる。
【００６４】
なお、実施の形態３で示した内蔵メモリ７を内蔵するマイコン部５においても、実施の形態４のように装着回数制限機能を持たせる、実施の形態５のように時間制限機能を持たせる、実施の形態６のように暗号化済ＵＲＬリンク先情報を格納させる対応も勿論考えられる。
【００６５】
また、実施の形態４及び実施の形態６で示した記憶部３を実施の形態２及び実施の形態５で示したＥＥＰＲＯＭ記憶部３１で構成し、ＥＥＰＲＯＭ書き込み処理部２ｂ相当の構成を追加して、書き込み可能な構成にすることもできる。
【００６６】
さらに、実施の形態４〜実施の形態６で示した装着回数制限機能、時間制限機能及び暗号化済ＵＲＬリンク先情報の格納等を適宜組み合わせた構成も勿論考えられる。
【図面の簡単な説明】
【００６７】
【図１】発明の実施の形態１であるストレージデバイス及びその周辺環境を示すブロック図である。
【図２】発明の実施の形態２であるストレージデバイス及びその周辺環境を示すブロック図である。
【図３】発明の実施の形態３であるストレージデバイス及びその周辺環境を示すブロック図である。
【図４】発明の実施の形態４であるストレージデバイス及びその周辺環境を示すブロック図である。
【図５】発明の実施の形態５であるストレージデバイス及びその周辺環境を示すブロック図である。
【図６】発明の実施の形態６であるストレージデバイス及びその周辺環境を示すブロック図である。
【符号の説明】
【００６８】
１，１Ａ〜１Ｄ，４  ストレージデバイス、２，５  マイコン部、２ａ  ＵＳＢ通信処理部、２ｂ  ＥＥＰＲＯＭ書き込み処理部、３  記憶部、７  内蔵メモリ、８  シリアル接続線、９  ＵＳＢバス、３１  ＥＥＰＲＯＭ記憶部、Ｉ１  （飛び先）ＵＲＬリンク先情報、Ｉ２  （認証処理用）ＩＤ情報、Ｉ３  ＰＣ装着回数情報、Ｉ４  制限時間情報、Ｉ５  暗号化済（飛び先）ＵＲＬリンク先情報、Ｉ６  暗号化済（認証処理用）ＩＤ情報。
【図１】
2006127182.tif 000003
【図２】
2006127182.tif 000004
【図３】
2006127182.tif 000005
【図４】
2006127182.tif 000006
【図５】
2006127182.tif 000007
【図６】
2006127182.tif 000008